(57)【要約】    【課題】  製作コストを高くすることなく高精度の位置決めを行うことができる透過率測定装置及び透過率測定方法を提供する。    【解決手段】  光源と、光源から出射された光を光通信部品に導く光ファイバ１０と、光通信部品を透過した光を受光するファイバコリメータとを備えている透過率測定装置において、光ファイバ１０の出射側端部に取り付けた固定金具１１を光通信部品を載置する載置台２０に取り付け、光ファイバ１０の出射側端面１０ａ近傍に空隙を介して光通信部品を配置して、光束の中心に光通信部品を配置することができるようにした。【選択図】      図３
2005172572.tif 000002
【特許請求の範囲】
【請求項１】
光源と、前記光源から出射された光を被測定物に導く光ファイバと、前記被測定物を透過した光を受光する受光手段とを備えている透過率測定装置において、
前記光ファイバの出射側端面近傍に空隙を介して前記被測定物を配置する配置手段を備えていることを特徴とする透過率測定装置。
【請求項２】
前記配置手段は、前記光ファイバの出射側端部に装着され、前記被測定物が載置される載置台であることを特徴とする請求項１記載の透過率測定装置。
【請求項３】
光源と、前記光源から出射された光を被測定物に導く光ファイバと、前記被測定物を透過した光を受光する受光手段とを備えている透過率測定装置を用いて光学部品の光学特性を測定する透過率測定方法において、
前記光ファイバの出射側端面近傍に空隙を介して前記被測定物を配置することを特徴とする透過率測定方法。
【発明の詳細な説明】
【技術分野】
【０００１】
この発明は微小サイズの光通信部品の透過率を測定する透過率測定装置及び透過率測定方法に関する。
【背景技術】
【０００２】
従来の透過率測定装置として、光源から出射された光をチップホルダに載置されたチップに導く光ファイバと、光ファイバとチップホルダとの間に配置されたレンズと、チップを透過した光を受光する受光部と、受光部を通過した光を解析装置等に導く受光側光ファイバとを備えているものがある（実用新案登録第３０８６５０４号公報参照）。
【０００３】
光源から出射された光は光ファイバに導かれて光ファイバの出力側端面から出射され、レンズによって集光されてチップホルダに載置されたチップの一方の端面に入射する。チップに入射した光はそのチップの他方の端面から出射される。他方の端面から出射された光は受光部によって受光され、受光側光ファイバを介して解析装置に導かれる。
【特許文献１】実用新案登録第３０８６５０４号公報
【発明の開示】
【発明が解決しようとする課題】
【０００４】
ところで、近年光通信部品の小型化が進み、その縦、横及び高さは０．３ｍｍ、３ｍｍ及び０．０３ｍｍ程度である。
【０００５】
このようなサイズの光通信部品の透過率を測定するには、例えば直径０．２ｍｍ程度以下の光束を得られる透過率測定装置が必要になる。
【０００６】
更に、光束の中心に光通信部品を配置しなければならない。
【０００７】
しかし、光ファイバの出力側端面から出射する光は発散光であるため、光束の直径が大きくなり、±０．０５ｍｍの許容誤差のレベルで光束の中心に光通信部品を配置させることは難しい。
【０００８】
上記公報に示されたように、専用の光学系を組み込むことによって直径０．１ｍｍの細い光束を得ることはできるが、それでは透過率測定装置の製作コストが高くなる。
【０００９】
この発明はこのような事情に鑑みてなされたもので、その課題は製作コストを高くすることなく高精度の位置決めを行うことができる透過率測定装置及び透過率測定方法を提供することである。
【課題を解決するための手段】
【００１０】
上記課題を解決するため請求項１記載の発明は、光源と、前記光源から出射された光を被測定物に導く光ファイバと、前記被測定物を透過した光を受光する受光手段とを備えている透過率測定装置において、前記光ファイバの出射側端面近傍に空隙を介して前記被測定物を配置する配置手段を備えていることを特徴とする。
【００１１】
請求項２に記載の発明は、請求項１記載の透過率測定装置において、前記配置手段は、前記光ファイバの出射側端部に装着され、前記被測定物が載置される載置台であることを特徴とする。
【００１２】
請求項３に記載の発明は、光源と、前記光源から出射された光を被測定物に導く光ファイバと、前記被測定物を透過した光を受光する受光手段とを備えている透過率測定装置を用いて光学部品の光学特性を測定する透過率測定方法において、前記光ファイバの出射側端面近傍に空隙を介して前記被測定物を配置することを特徴とする。
【発明の効果】
【００１３】
この発明の透過率測定装置及び透過率測定方法によれば、製作コストを高くすることなく高精度の位置決めを行うことができる。
【発明を実施するための最良の形態】
【００１４】
以下、この発明の実施の形態を図面に基づいて説明する。
【００１５】
図１はこの発明の一実施形態に係る透過率測定装置を説明する図、図２はその一部を示す拡大図である。
【００１６】
この透過率測定装置は、光源４と、光ファイバ１０と、載置台（配置手段）２０と、ファイバコリメータ（受光手段）３０と、受光側光ファイバ４０と、検出器６とを備えている。
【００１７】
光ファイバ１０は光源４から出射された光を載置台２０に載置された光通信部品５の近傍まで導く。光ファイバ１０は石英で形成されている。この光ファイバ１０の外径及びコア径はそれぞれ３ｍｍ及び０．０１ｍｍである。光通信部品５は例えば五酸化ニオブと酸化ケイ素の交互多層膜で形成される。
【００１８】
ファイバコリメータ３０は光通信部品５を透過した光を集光する。ファイバコリメータ３０の外径及び長さはそれぞれ５ｍｍ及び１０ｍｍである。光ファイバ１０の出射側端面１０ａからファイバコリメータ３０の入射面３０ａまでの距離は１０ｍｍ程度である。
【００１９】
光ファイバ１０の出射側端面１０ａから出射された光は前述したように発散光であるので、光ファイバ１０の出射側端面１０ａからファイバコリメータ３０の入射面３０ａまでの距離が長くなるにしたがって大きな入射面３０ａが必要になる。
【００２０】
ところで、仮にフォトディテクタを用い、拡散された光も十分な強度で受光しようとすると、受光面の大きいフォトディテクタを必要とする。
【００２１】
受光側光ファイバ４０はファイバコリメータ３０を通過した光をスペクトルアナライザ等の検出器６に導く。この受光側光ファイバ４０の外径及びコア径はそれぞれ３ｍｍ及び０．０１ｍｍである。
【００２２】
図３は光ファイバを載置台に取り付ける前の状態を示す概念図である。
【００２３】
載置台２０は、鍔部２０ａと、鍔部２０ａの下面に形成された固定金具受け２０ｂとで構成される。載置台２０の中心には貫通孔２１が形成されている。
【００２４】
光ファイバ１０の出射側端部には固定金具１１が取り付けられている。固定金具１１は、固定金具受け２０ｂに嵌合可能なハウジング部１２と、ハウジング部１２の先端から突出し、鍔部２０ａの内周面に形成されためねじ部２１ａに螺合可能なおねじ部１３とを有する。円筒状のおねじ部１３の長さは鍔部２０ａの厚さよりわずかに短い。
【００２５】
おねじ部１３の中心部には光ファイバ１０が挿入されたフェルール（図示せず）が配置されている。なお、フェルールの先端は出射した光が不均一に発散しないように所定の平面度に研磨されている。
【００２６】
図４は光ファイバを載置台に取り付けた状態を示す概念図である。
【００２７】
光ファイバ１０は、固定金具１１のハウジング部１２を回しておねじ部１３を鍔部２０ａのめねじ部２１ａに螺合させることによって、載置台２０に取り付けられる。
【００２８】
上記構成の透過率測定装置の動作を説明する。
【００２９】
光源４から出射された光は光ファイバ１０に導かれて光ファイバ１０の出射側端面１０ａから出射する。出射側端面１０ａから出射した光は光通信部品５の一方の端面５ａに入射し、図２に示すように発散しながら進行する。光は光通信部品５の他方の端面５ｂから出射される。他方の端面５ｂから出射された光は発散しながらファイバコリメータ３０の入射面３０ａに入射し、受光側光ファイバ４０を介して検出器６に導かれる。
【００３０】
このとき、光通信部品５の一方の端面５ａは光ファイバ１０の出射側端面１０ａの近傍にわずかな空隙を介して配置されているので、光通信部品５には発散が少ない光が入射し、専用の光学系を組み込むことなく容易に光束の中心に光通信部品５を配置することができる。
【００３１】
しかし、入射面３０ａが大きくなると入射面３０ａの感度むらが大きくなるため、光ファイバ１０の出射側端面１０ａからファイバコリメータ３０の入射面３０ａまでの距離は１０ｍｍ程度に設定されている。
【００３２】
なお、光ファイバ１０の出射側端面１０ａにコリメータレンズ（図示せず）を装着し、コリメータレンズから出射される光を平行光として入射面３０ａまでの距離を長くすることはできる。しかし、コリメータレンズを用いた場合、特定の波長の光を平行光にするのは容易であるが、ある波長帯に含まれるすべての光を平行光にすることは難しいとともに、従来例と同様に透過率測定装置の製作コストが高くなるという問題が生じる。
【００３３】
この実施形態によれば、透過率測定装置の製作コストを高くすることなく高精度の位置決めを行うことができる。
【００３４】
なお、上記実施形態では受光側にファイバコリメータ３０を配置したが、その代わりにフォトダイオード等を配置するようにしてもよい。なお、フォトダイオードを用いた場合には検出器として電圧計が用いられる。すなわち、フォトダイオードで検出された光量に対応する電圧を電圧計で検出する。
【図面の簡単な説明】
【００３５】
【図１】図１はこの発明の一実施形態に係る透過率測定装置を説明する図である。
【図２】図２はこの発明の一実施形態に係る透過率測定装置の一部を示す拡大図である。
【図３】図３は光ファイバを載置台に取り付ける前の状態を示す概念図である。
【図４】図４は光ファイバを載置台に取り付けた状態を示す概念図である。
【符号の説明】
【００３６】
５  光通信部品（被測定物）
１０  光ファイバ
１０ａ  出射側端面
２０  載置台（配置手段）
３０  ファイバコリメータ（受光手段）
【図１】
2005172572.tif 000003
【図２】
2005172572.tif 000004
【図３】
2005172572.tif 000005
【図４】
2005172572.tif 000006